(57)【要約】  本発明はネットワーク・トランザクションのための情報分析システムを提供する。その特徴として、前記分析システムは、製品情報を保存する製品情報データベースと、ユーザーの登録情報を公開し常駐させるのに用いる個人消費空間と、前記個人消費空間で、前記登録情報を公開するのに用いる情報公開モジュールと、前記個人消費空間から前記登録情報を取り出す取出しモジュールと、登録情報について分類、統計又は分析処理を行って、それから分類、統計又は分析をした後の関連情報をサービス端に送信する分類、統計及び分析モジュールとを備える。本発明はまたネットワーク・トランザクションのための情報分析方法が公開された。本発明に公開された情報分析システムと方法は、複数のユーザーの登録情報を分類、統計又は分析処理をした後、サービス端に送信し、サービス端が商品の生産数量に対する予想の判断などをガイドする。
2015525923.tif 000002
【特許請求の範囲】
【請求項１】
製品情報を保存するのに用いる製品情報データベースと、
ユーザーの登録情報を公開し常駐させる個人消費空間と、
前記個人消費空間で、前記登録情報を公開する情報公開モジュールと、
前記個人消費空間から前記登録情報を取り出す取出しモジュールと、
取り出した前記登録情報について分類、統計又は分析処理を行って、分類、統計又は分析をした後の関連情報をサービス端に送信する分類、統計及び分析モジュールとを備えることを特徴とするネットワーク・トランザクションのための情報分析システム。
【請求項２】
前記システムは、前記ユーザが前記個人消費空間にログインするのに用いるログインデータを受信して検証するログインモジュールを備えることを特徴とする請求項１に記載の情報分析システム。
【請求項３】
前記サービス端は前記分類、統計又は分析をした後の関連情報に対して対応する処理を実行する情報処理モジュールを備えることを特徴とする請求項１又は請求項２に記載の情報分析システム。
【請求項４】
前記システムは、前記個人消費空間の中の登録情報に対して編集処理を実行する情報編集モジュールを備えることを特徴とする請求項１乃至３の何れかの一項に記載の情報分析システム。
【請求項５】
前記ユーザーがアップロードした個人情報を保存するのに用いる個人情報保存空間を備え、
ログインデータは、前記ログインデータと前記個人情報保存空間に保存された個人情報をマッチングし検証することによって、検証されることを特徴とする請求項２乃至４の何れかの一項に記載の情報分析システム。
【請求項６】
前記システムは、製品情報データベースにおける前記登録情報との整合度が予め定められた閾値に達する製品情報を前記個人消費空間へフィードバックするフィードバックモジュールを備えることを特徴とする請求項１乃至５の何れかの一項に記載の情報分析システム。
【請求項７】
ログインデータの検証は、生体情報認識検証、情報マッチング検証と識別認識認証の１つ以上を介して実行されることを特徴とする請求項５又は請求項６に記載の情報分析システム。
【請求項８】
前記情報編集モジュールが実行する編集処理は前記登録情報を修正、転送又は削除することを含むことを特徴とする請求項４乃至７の何れかの一項に記載の情報分析システム。
【請求項９】
前記関連情報は製品の数量情報と製品の需要分析情報を含むことを特徴とする請求項１乃至８の何れかの一項に記載の情報分析システム。
【請求項１０】
前記サービス端は、サービス提供者、ソーシャルグループ、消費ネットワーク、特定商業グループと個人消費グループを含むことを特徴とする請求項１乃至８の何れかの一項に記載の情報分析システム。
【請求項１１】
前記対応する処理は、サービス端による製品生産をガイドするために、製品需要リストを生成することを特徴とする請求項３乃至１０の何れかの一項に記載の情報分析システム。
【請求項１２】
前記対応する処理は、ソーシャルグループ又は個人消費グループにグループ購入情報を提供することを含むことを特徴とする請求項３乃至１０の何れかの一項に記載の情報分析システム。
【請求項１３】
前記対応する処理は、製品の関連情報に従って、特定商業グループを形成し、ソーシャルグループ又は個人消費グループに商業グループ情報を提供することを含むことを特徴とする請求項３乃至１０の何れかの一項に記載の情報分析システム。
【請求項１４】
前記登録情報は、個人的な需要情報であり、購買予定製品の種類、名称、特徴、ブランド、価格、在庫量、販促情報、小売店、製品展示写真又はビデオ、製品のホームページのリンクのうちの１つ以上を備えることを特徴とする請求項１乃至１３の何れかの一項に記載の情報分析システム。
【請求項１５】
前記フィードバックの情報は、製品の種類、名称、特徴、ブランド、価格、在庫量、販促情報、小売店、製品展示写真又はビデオ、製品のホームページのリンクのうちの１つ以上を含むことを特徴とする請求項６乃至１４の何れかの一項に記載の情報分析システム。
【請求項１６】
ユーザーの個人消費空間が設置され、製品情報データベースを有するネットワーク・トランザクションプラットフォームで実現される、ネットワーク・トランザクションにおける情報解析方法であって、
前記個人消費空間でユーザーの登録情報を公開し常駐させる情報公開ステップと、
前記個人消費空間から前記登録情報を取出す取出しステップと、
取り出した前記登録情報について分類、統計又は分析処理を行って、それから分類、統計又は分析をした後の関連情報をサービス端に送信する分類、統計及び分析ステップを備えることを特徴とするネットワーク・トランザクションにおける情報分析方法。
【請求項１７】
ユーザーが前記個人消費空間にログインするのに用いるログインデータを受信して検証する登録ステップを含むことを特徴とする請求項１６に記載の情報分析方法。
【請求項１８】
前記分類、統計又は分析をした後の関連情報に対して対応する処理を実行する情報処理ステップを含むことを特徴とする請求項１６又は請求項１７に記載の情報分析方法。
【請求項１９】
前記個人消費空間中の登録情報に対して編集処理を実行する情報編集ステップを含むことを特徴とする請求項１６乃至１８の何れかの一項に記載の情報分析方法。
【請求項２０】
前記製品情報データベースにおける前記登録情報との整合度が予め定められた閾値に達する製品情報を前記個人消費空間にフィードバックするフィードバックステップを含むことを特徴とする請求項１６乃至１９の何れかの一項に記載の情報分析方法。
【請求項２１】
前記対応する処理は、サービス端による製品生産をガイドするために、製品需要リストを生成することを特徴とする請求項１８乃至２０の何れかの一項に記載の情報分析方法。
【請求項２２】
前記対応する処理は、ソーシャルグループ又は個人消費グループにグループ購入情報を提供するステップを含むことを特徴とする請求項１８乃至２０の何れかの一項に記載の情報分析方法。
【請求項２３】
前記対応する処理は、製品の関連情報によって、特定商業グループを形成し、ソーシャルグループ又は個人消費グループに商業グループ情報を提供するステップを含むことを特徴とする請求項１８乃至２０の何れかの一項に記載の情報分析方法。
【請求項２４】
前記検証は前記ログインデータと前記個人情報保存空間に保存された個人情報をマッチング検証することを指すことを特徴とする請求項１７乃至２３の何れかの一項に記載の情報分析方法。
【請求項２５】
ログインデータの検証は、生体情報認識検証、情報マッチング検証と識別認識認証の１つ以上を介して実行されることを特徴とする請求項２４に記載の情報分析方法。
【請求項２６】
前記情報編集ステップで実行する編集処理は前記登録情報を修正、転送又は削除することを含むことを特徴とする請求項１９乃至２５の何れかの一項に記載の情報分析方法。
【請求項２７】
前記関連情報は製品の数量情報と製品の需要分析情報を含むことを特徴とする請求項１６乃至２６の何れかの一項に記載の情報分析方法。
【請求項２８】
前記登録情報は、個人的な需要情報であり、購買予定製品の種類、名称、特徴、ブランド、価格、在庫量、販促情報、小売店、製品展示写真又はビデオ、製品のホームページのリンクのうちの１つ以上を備えることを特徴とする請求項１６乃至２７の何れかの一項に記載の情報分析方法。
【請求項２９】
前記フィードバックの情報は、製品の種類、名称、特徴、ブランド、価格、在庫量、販促情報、小売店、製品展示写真又はビデオ、製品のホームページのリンクのうちの１つ以上を含むことを特徴とする請求項２０乃至２８の何れかの一項に記載の情報分析方法。
【発明の詳細な説明】
【技術分野】
【０００１】
本発明はネットワークプラットフォームを利用してネットワーク・トランザクションを実現する技術に関わる。特にネットワーク・トランザクションにおける情報分析システムと方法に関わる。
【背景技術】
【０００２】
従来のネットワークプラットフォームを利用してネットワーク・トランザクションを実現するシステム又はモジュールの中で、通常はユーザーからインターネットなどツールを通じて自分の所望の商品など情報を検索して、それから自分で登録（サブスクリプション）注文書などを作成し、買い物カートに入れて、最終的に「Ａｌｉｐａｙ」又は銀行支払の方式によりネットワーク・トランザクションを完了する。つまり、注文書はユーザーが自分で検索した後に作成され、商品サプライヤーはユーザーの注文情報を処理するだけでよい。
【０００３】
しかし、この従来のネットワーク・トランザクション方式はネットワーク・トランザクションを実行する中で、ユーザーと商品サプライヤーとの間は一方通行の連絡方式だけ実現され、ユーザーが商品サプライヤーに商品需要についての必要な情報を提供できないため、商品サプライヤーもユーザーの需要情報によって商品の生産と予備に対して予想の判断ができなく、商品の不足又は過剰をもたらすことになってしまう。
【発明の概要】
【０００４】
既存技術における欠陥を克服するため、本発明はネットワーク・トランザクションにおける情報分析システムを提供する。その特徴として、前記分析システムは、
製品情報を保存する製品情報データベースと、
ユーザーの登録情報を公開し常駐させる個人消費空間と、
前記個人消費空間で、前記登録情報を公開する情報公開モジュールと、
前記個人消費空間から前記登録情報を取り出す取出しモジュールと、
取り出した登録情報について分類、統計又は分析処理を行って、それから分類、統計又は分析をした後の関連情報をサービス端に送信する分類、統計及び分析モジュールとを備える。
【０００５】
本発明の一つの好ましい実施例により、前記情報分析システムは、前記個人消費空間にログインするのに用いるログインデータを受信して検証するログインモジュールを備える。
【０００６】
本発明のもう一つの好ましい実施例により、前記情報分析システムの中で、前記サービス端は前記分類、統計又は分析をした後の関連情報に対して対応する処理を実行する情報処理モジュールを備える。
【０００７】
本発明のまたもう一つの好ましい実施例により、前記情報分析システムは、前記個人消費空間の中の登録情報に対して編集処理を実行する情報編集モジュールを備える。
【０００８】
本発明の更にもう一つの好ましい実施例により、前記情報分析システムは、
前記ユーザーがアップロードした個人情報を保存するのに用いる個人情報保存空間を備える。
【０００９】
前記検証は前記ログインデータと前記個人情報保存空間に保存された個人情報をマッチング検証することを指す。
【００１０】
本発明の更にまたもう一つの好ましい実施例により、前記情報分析システムは、製品情報データベースにおける前記登録情報との整合度が予め定められた閾値に達する製品情報を前記個人消費空間へフィードバックするフィードバックモジュールを備える。
【００１１】
本発明のもう一つの好ましい実施例により、その中、前記情報分析システムの中で、前記検証方法は、生体情報認識検証、情報マッチング検証と識別認識認証の１つ以上を含む。
【００１２】
本発明のまたもう一つの好ましい実施例により、前記情報分析システムの中で、前記情報編集モジュールが実行する編集処理は前記登録情報を修正、転送又は削除することを含む。
【００１３】
本発明の更にもう一つの好ましい実施例により、前記情報分析システムにおける前記関連情報は製品の数量情報と製品の需要分析情報を含む。
【００１４】
本発明の更にまたもう一つの好ましい実施例により、前記情報分析システムにおける前記サービス端は、サービス提供者、ソーシャルグループ、消費ネットワーク、特定商業グループと個人消費グループを含む。
【００１５】
本発明のもう一つの好ましい実施例により、前記情報分析システムにおける前記対応する処理はサービス端による製品生産を指導することを含む。
【００１６】
本発明のまたもう一つの好ましい実施例により、前記情報分析システムにおける前記対応する処理は、ソーシャルグループ又は個人消費グループにグループ購入情報を提供することを含む。
【００１７】
本発明の更にもう一つの好ましい実施例により、前記情報分析システムにおける前記対応する処理は、製品の関連情報によって、特定商業グループを形成し、ソーシャルグループ又は個人消費グループに商業グループ情報を提供することを含む。
【００１８】
本発明の更にまたもう一つの好ましい実施例により、前記情報分析システムにおける前記登録情報は、個人的な需要情報であり、それは、購買予定製品の種類、名称、特徴、ブランド、価格、在庫量、販促情報、小売店、製品展示写真又はビデオ、製品のホームページのリンクのうちの１つ以上を備える。
【００１９】
本発明のもう一つの好ましい実施例により、前記情報分析システムにおける前記フィードバック情報は、製品の種類、名称、特徴、ブランド、価格、在庫量、販促情報、小売店、製品展示写真又はビデオ、製品のホームページのリンクのうちの１つ以上を備える。
【００２０】
本発明のもう一つの面により、本発明はまたネットワーク・トランザクションにおける情報分析方法が公開された。前記情報分析方法はネットワーク・トランザクションプラットフォームで実現され、前記ネットワーク・トランザクションプラットフォームにユーザーの個人消費空間が設置され、製品情報データベースを持ち、その特徴として、当該方法は以下のステップを含む。
【００２１】
前記個人消費空間でユーザーの登録情報を公開し常駐させる情報公開ステップと、
前記個人消費空間から前記登録情報を取出す取出しステップと、
取り出した登録情報について分類、統計又は分析処理を行って、それから分類、統計又は分析をした後の関連情報をサービス端に送信する分類、統計及び分析ステップを備える。
【００２２】
本発明のもう一つの好ましい実施例により、前記情報分析方法はまたユーザーが前記個人消費空間にログインするのに用いるログインデータを受信して検証する登録ステップを含む。
【００２３】
本発明のまたもう一つの好ましい実施例により、前記情報分析方法は、また前記分類、統計又は分析をした後の関連情報に対して対応する処理を実行する情報処理ステップを含む。
【００２４】
本発明の更にもう一つの好ましい実施例により、前記情報分析方法はまた前記個人消費空間中の登録情報に対して編集処理を実行する情報編集ステップを含む。
【００２５】
本発明の更にまたもう一つの好ましい実施例により、前記情報分析方法は、また前記プロセッサは製品情報データベースにおける前記登録情報との整合度が予め定められた閾値に達する製品情報を前記個人消費空間にフィードバックするフィードバックステップを含む。
【００２６】
本発明のもう一つの好ましい実施例により、前記情報分析方法における前記関連情報は製品の数量情報と製品の需要分析情報を含む。
【００２７】
本発明のまたもう一つの好ましい実施例により、前記情報分析方法における前記対応する処理は製品需要リストを生成し、サービス端による製品生産を指導するステップを含む。
【００２８】
本発明の更にもう一つの好ましい実施例により、前記情報分析方法における前記対応する処理は、ソーシャルグループ又は個人消費グループにグループ購入情報を提供するステップを含む。
【００２９】
本発明の更にまたもう一つの好ましい実施例により、前記情報分析方法における前記対応する処理は、製品の関連情報によって、特定商業グループを形成し、ソーシャルグループ又は個人消費グループに商業グループ情報を提供するステップを含む。
【００３０】
本発明のもう一つの好ましい実施例により、前記情報分析方法における前記登録情報は、個人的な需要情報であり、それは、購買予定製品の種類、名称、特徴、ブランド、価格、在庫量、販促情報、小売店、製品展示写真又はビデオ、製品のホームページのリンクのうちの１つ以上を含む。
【００３１】
本発明のまたもう一つの好ましい実施例により、前記情報分析方法における前記フィードバック情報は、製品の種類、名称、特徴、ブランド、価格、在庫量、販促情報、小売店、製品展示写真又はビデオ、製品のホームページのリンクのうちの１つ以上を含む。
【００３２】
本発明の更にもう一つの好ましい実施例により、前記情報分析方法における前記検証は前記ログインデータと前記個人情報保存空間に保存された個人情報をマッチング検証することを指す。
【００３３】
本発明のもう一つの好ましい実施例により、前記情報分析方法の中で、前記検証方法は、生体情報認識検証、情報マッチング検証と識別認識認証の１つ以上を含む。
【００３４】
本発明の更にまたもう一つの好ましい実施例により、前記情報分析方法の中で、前記情報編集ステップで実行する編集処理は前記登録情報を修正、転送又は削除することを含む。
【００３５】
本発明に記載のネットワーク・トランザクションにおける情報分析システムと方法によって、複数のユーザーの登録情報を統計と分類処理をした後、サービス端に送信し、サービス端による商品の生産数量に対する予想の判断を指導する。同時に、サービス端も前記情報によってユーザーによるグループ購入を企画する。
【図面の簡単な説明】
【００３６】
以下の図にある非制限性実施例に対する詳しい記載の登録参照を通して、本発明の他の特徴、目的と利点が更に明らかになる。その中、
【図１】図１は、本発明の一つの好ましい実施例によるネットワーク・トランザクションにおける情報分析システムのモジュール化仕組みを示す図である。
【図２】図２は、本発明のもう一つの好ましい実施例によるネットワーク・トランザクションにおける情報分析システムのモジュール化仕組みを示す図である。
【図３】図３は、本発明の一つの好ましい実施例によるネットワーク・トランザクションにおける情報処理方法のフローチャートである。
【図４】図４は、本発明のもう一つの好ましい実施例によるネットワーク・トランザクションにおける情報処理方法のフローチャートである。
【図５】図５は、本発明の一つの好ましい実施例によるネットワーク・トランザクションにおける情報分析システムの中の前記情報処理モジュールが具体的な登録情報の処理を実現する実例を示す図である。
【図６】図６は、本発明の一つの好ましい実施例によるネットワーク・トランザクションにおける情報分析システムと方法の実例を示す図である。
【図７】図７は、本発明の一つの好ましい実施例によるネットワーク・トランザクションにおける情報分析システムと方法の実例を示す図である。   図面の中で同じ又は類似の図面印は同じ又は類似の部品を代表する。
【発明を実施するための形態】
【００３７】
もっと良く本発明を解釈説明するため、次は図１乃至７を参照し本発明について更に詳しい記述を行う。
【００３８】
図１は本発明の一つの好ましい実施例によるネットワーク・トランザクションにおける情報分析システムのモジュール化仕組みを示す図である。図１に示すように、前記分析システム１００は、
製品情報を保存するのに用いる製品情報データベース１０２と、
ユーザーの登録情報を公開し常駐させるのに用いる個人消費空間１０１と、
前記個人消費空間で、前記登録情報を公開するのに用いる情報公開モジュール１０３と、
前記個人消費空間１０１から前記登録情報を取り出しに用いる取出しモジュール１０４と、
取り出した登録情報について分類、統計又は分析処理を行って、それから分類、統計又は分析をした後の関連情報をサービス端１０６に送信するのに用いる分類、統計及び分析モジュール１０５とを備える。
【００３９】
具体的に、本実施例の中で、前記分析システム１００はネットワーク・トランザクションプラットフォーム１００に実施し、典型的に、当該ネットワーク・トランザクションプラットフォーム１００は、マルチプラットフォームとして使用しやすいＢ／Ｓ枠組み又はＣ／Ｓ枠組みに実施し、Ｂ／Ｓ枠組みに実施するのが好ましい。そして上記構成に基づき、当該ネットワーク・トランザクションプラットフォーム１００における各モジュールが設計され動作される。
【００４０】
製品情報を保存するのに用いる製品情報データベース１０２は公知技術を採用して実現できる。当該製品情報は製品に関する属性データと記述データを含むことが可能である。典型的には、当該製品情報データベース１０２がネットワーク・トランザクションプラットフォーム１００に実装される。他の複数の実施例の中で、当該製品情報データベース１０２は複数のインタネットサーバーからなる配信サーバーシステム、サーバー・クラスター又はサーバー論理マトリックスに実装されることが可能である。
【００４１】
本実施例の中で、個人消費空間１０１がネットワーク・トランザクションプラットフォーム１００に実装され、常駐している（本文中の術語「常駐」は、データを保存し、それに対して何時でもデータの取り出しができることを指す）。当該個人消費空間１０１内に登録情報が保存し常駐されている。
【００４２】
情報公開モジュール１０３が前記登録情報を公開し、個人消費空間１０１へ送信する。図１に示すように、典型的には、情報公開モジュールは端末２００のために、前記登録情報の詳しい内容の入力に用いる入力インタフェースを提供する。当該入力インタフェースは、端末２００で動作するブラウザー又はクライアントのコンピュータデータ入力インタフェースとして実現されてもよい。例えば、入力データのウェブページを受け取ることができる。端末２００の具体的な形式が本実施例ではパソコン端末であるが、それには限定されないことに注意すべきである。またスマートフォン、タブレット、携帯型インテリジェント端末又は他のインテリジェント端末を含む。
【００４３】
更に典型的に、当該登録（サブスクリプション）情報はユーザーの公開する個人的な需要情報であり、購買予定製品の種類（カテゴリ）、名称、特徴、ブランド、価格、在庫量、販促情報、小売店、製品展示写真又はビデオ、製品のホームページのリンクの中の１つ以上の項目を含む。情報公開モジュール１０３は、前記個人的な需要情報のうちの１つ以上をデータ表の形式に処理し、個人消費空間１０１に公開する。好ましくは、使用端末２００の入力インタフェースのユーザーは、情報公開モジュール１０３に前記個人的な需要情報を印付け選択する又は書き込む入力操作をフィードバックする。
【００４４】
個人消費空間１０１は前記登録情報を保存し常駐させた後、それをプライバシー登録情報に取り込むことができる。承認されたユーザーだけは、それに対して調べる又は修正することができる。またネットワーク・トランザクションプラットフォーム１００のすべて又は一部の特定使用者が当該登録情報を調べて見ることができるように、それを公開することができる。好ましい実施例の中で、上記２つの方法を合わせて利用することができる。
【００４５】
更に、取出しモジュール１０４は前記個人消費空間１０１から前記登録情報を取り出すのに用いる。そして登録情報又は登録リスト情報を分類、統計及び分析モジュール１０５に送信し、分類、統計及び分析モジュール１０５を通して登録情報に対して分類、統計又は分析処理をして、それから、分類、統計又は分析した後の関連情報をサービス端１０６に送信する。
【００４６】
前記分類、統計及び分析モジュール１０５による、登録情報に対する分類、統計又は分析処理は、登録情報の内容と類型などについて分類統計することを含む。ここで、登録（サブスクリプション）情報は個人的な需要情報であり、購買予定製品の種類、名称、特徴、ブランド、価格、在庫量、販促情報、小売店、製品展示写真又はビデオ、製品のホームページのリンクのうちの１つ以上を含む。それらの項目に従って具体的に分類、統計処理を行うことができる。例えば、価格によって登録情報と関連する商品の価格順位表を作成し、又はブランドによって具体的なブランド需要順位表又はブランド需要分析表を作成する。それから前記生成したリスト情報又はその他情報をサービス端１０６に送信し、サービス端１０６は受け取った分類、統計又は分析リスト情報によって、後続の対応する処理を実行する。前記分析は従来の情報分析モデル又は関連性分析モデルを含んでもよいし、他の情報処理手段又はモデルを含んでもよい。
【００４７】
登録情報の類型と内容はメーカーによる具体的な商品の生産を指導するのに重要な意義を有するため、登録情報の分析は大きく商品の実際需要を決めていて、同時に、ユーザーとしても、リアルタイムに自分の需要商品を買うことができることを希望しているので、商品切れなどの情況は望ましくない。従って、ユーザーとメーカーとの疎通は非常に重要になる。前記情報分析システムは正にこれらの必要性に基づいて提案したものである。
【００４８】
その他、個人消費空間で情報保存モジュール（図を簡単化するため、図に示されていない）を備える。商品の歴史登録情報又は既に購入した商品の属性情報を保存するのに用いる。例えば商品価格、購入の商品数量など情報。一方、前記分類、統計及び分析モジュール１０５は時間段又は歴史登録情報及び前記他の情報によって、例えば商品属性情報は異なる標準によって、例えば年月など取出し情報保存モジュールの中の関連情報によって分類、統計又は分析を行い、異なる基準から関連商品の需要情報を把握して、分類、統計又は分析リストを生成し、サービス端１０６に送信し、サービス端１０６は受け取った分類、統計又は分析リスト情報によって、後続の対応する処理を実行する。
【００４９】
具体的に、前記関連情報は製品の数量情報と製品の需要分析情報を含む。前記サービス端１０６はサービス提供者、ソーシャルグループ、消費ネットワーク、特定商業グループと個人消費グループなどを含み、単独の商品サプライヤーでもよい。サービス端１０６は受け取った関連情報によって、実行した後続の対応する処理は前記製品数量情報、需要分析情報又は製品需要リスト情報によって、サービス端１０６はユーザーの需要商品の生産数量に対して予想の判断をして、製品の生産を指導することを含む。同時に、サービス端１０６はソーシャルグループ又は個人消費グループにグループ購入情報を提供して、前記製品数量情報と需要分析情報を利用して特定商業グループを構築し、製品生産と供給のより合理化を実現する。同時に、サービス端１０６はまた商業グループ情報によって特殊製品供給商業グループを構築し、同時に対応する商業グループ情報をソーシャルグループ又は個人消費グループに提供する。
【００５０】
更に、図２を参照する。図２は本発明のもう一つの実施例によるネットワーク・トランザクションにおける情報分析システムのモジュール化構造図であり、且つ実は、もっと多くの応用を満たすため、図１に示したシステム１００に対する最適化改善したものである。次はそれぞれその中の各部分について説明する。図１に示した情報分析システムのモジュール化構造図にある同じモジュールはここでの詳細な記述は省略する。図２に示したもう一つの好ましい実施例の中で、前記情報分析システムはログインモジュール１０７、情報処理モジュール１０８、情報編集モジュール１０９、個人情報保存空間１１０とフィードバックモジュール１１１を含むことができる。
【００５１】
好ましくは、前記情報分析システムはユーザーが前記個人消費空間１０１をログインするログインデータを受信して検証するログインモジュール１０７を備える。他の典型的なＢ／Ｓ仕組みシステムと類似する。典型的に、本情報分析システム１００は登録ユーザーに基づくユーザー管理モデルに実施でき、ユーザーが初めてシステム１００の中で登録した後、次回使用端末２００が再び当該システム１００に入って操作する時、まず少なくとも１組のユーザー名と登録パスワードを含めたログインデータをログインモジュールに発送し、ユーザーの身元を検証するのに用いる。ユーザーが初めてシステム１００に登録した後、少なくともそのユーザー名と登録パスワードなど個人情報をアップロードして、これによって、次回登録検証に用いるようにすることは選択可能である。当該システム１００は個人情報の保存に用いる個人情報保存空間１１０を備えることが選択可能である。それに応じて、ログインモジュール１０７の中で行った検証過程が示すのは、前記ログインデータと前記個人情報保存空間に保存される個人情報とをマッチング検証を行い、ユーザーの身元を確かめ、これによって、システム１００にプリセットした使用権限を開放することである。もちろん、ユーザーのアップロードした個人情報の違いにより、ユーザーログインモジュール１０７は自動的に適切な検証方法を選ぶことができる。例えば、生体情報データ、伝統ユーザー名／パスワードデータとマークデータの１つ以上をアップロードする場合、それに応じて前記検証方法は、生体情報認識検証（例えば指紋データの検証）、情報マッチング検証（ユーザー名／パスワード検証）とマーク識別認証（例えば、ポータブルコンピュータの認証キーの認証）の１つ以上を備える。好ましい実施例の中で、ログインモジュール１０７は多重データ検証の能力を持つように設計すべきである。
【００５２】
ユーザーに個性的なサービスを提供する考慮に基づき、個人情報保存空間１１０の中に、例えば個人サイト、個人資料、個人日誌、個人アルバム／ビデオ、ソーシャルマップとグループなどよく見られるインターネットコミュニティ機能モジュールを備えるのが好ましい。好ましい実施例の中で、個人情報保存空間１１０と個人消費空間１０１とを集積させることができ、両者はデータを共有し、ユーザーがそれに対する管理に便宜を図る。
【００５３】
好ましくは、前記情報分析システムはまた情報処理モジュール１０８を備える。前記情報処理モジュール１０８はサービス端１０６に位置し、前記分類、統計又は分析後の関連情報に対して対応する処理を実行するのに用いる。
【００５４】
前記関連情報は製品の数量情報と製品の需要分析情報を含む。他の情報を含んでもよい。例えば製品需要リスト情報など。前記対応する処理は前記製品数量情報、需要分析情報又は製品需要リスト情報によって、サービス端１０６はユーザーの需要の商品の生産数量に対して予想の判断をして、製品の生産を指導することを含む。同時に、サービス端１０６はソーシャルグループ又は個人消費グループにグループ購入情報を提供して、前記製品数量情報と需要分析情報を利用して特定商業グループを構築し、製品生産と供給のより合理化を実現する。同時に、サービス端１０６はまた商業グループ情報によって特殊製品供給商業グループを構築し、同時に対応する商業グループ情報をソーシャルグループ又は個人消費グループに提供する。
【００５５】
その他、前記情報処理モジュール１０８は外部又は内部の単独のプロセッサ（図を簡単化するため、図に示されていない）と直接交互を行い、こうすると、プロセッサを通してサービス端１０６がユーザーに提供しようとする商品情報又は他の情報を、例えば商品源情報などを直接ユーザーに提供できる。ユーザーが需要の商品の関連情報に対してもっと直接又は直観の評価又は予知を持たせて、ユーザーとサービス端１０６との通信と交互の便利性を大いに高めた。例えば、前記情報処理モジュール１０８はユーザーが興味のある商品数量情報又は価格情報及び関連更新情報をプロセッサを通してユーザーに通知して、ユーザーに直接選択させるよう提供する。
【００５６】
更に好ましくは、前記情報分析システムはまた情報編集モジュール１０９を備えてよい。ユーザーは前記登録情報は編集できるものであることが望ましい。そうすると、もっと多くの応用情況の実際の需要を満たすことができる。従って、好ましくは、本実施例の中で、当該システム１００はまた前記個人消費空間１０１に保存する登録情報に対して編集処理を実行するのに用いる情報編集モジュール１０９を備える。具体的に、前記編集処理は、前記登録情報を修正、転送又は削除することを含む。更に、前記情報編集モジュール１０９はシステム１００の中のグローバル情報の管理モジュールとして実現してよい。それはシステム１００の中の他のモジュールと相互通信を実現し、各モジュールの中の情報データに対して添加、修正、削除など編集操作をするのに便利を図る。例えば、注文書編集、個人写真の公開と削除、個人日誌の公開と修正など。
【００５７】
更に好ましくは、前記情報分析システムはまたフィードバックモジュール１１１を備えてよい。フィードバックモジュール１１１と製品情報データベース１０２及び個人消費空間１０１との間は交互にデータを通信することができ、製品情報データベース１０２に保存された製品情報における前記登録情報との整合度が予め定められた閾値に達する製品情報を前記個人消費空間１０１にフィードバックするのに用いる。具体的には、実際のアプリケーションでは、前記製品情報のデータ量が比較的大きいため、当該製品情報の中で、前記登録情報に対して的確なマッチング情報を選び出す目的で、つまり当該マッチング情報が前記製品情報のサブセットとなるように、前記閾値が設定される。前記製品情報は実際の製品属性の電子データを記述するのに用いるのである。典型的に、当該製品情報は少なくとも、前記製品の種類、名称、特徴、ブランド、価格、在庫量、販促情報、メーカー、製品展示写真又はビデオ、製品のホームページのリンクのうちの１つ以上、及び前記製品の歴史取引又は評価情報を備えていている。
【００５８】
好ましくは、前記情報分析システムにおける前記登録情報は、個人的な需要情報であり、購買予定製品の種類、名称、特徴、ブランド、価格、在庫量、販促情報、メーカー、製品展示写真又はビデオ、製品のホームページのリンクのうちの１つ以上を備える。前記情報分析システムにおける前記フィードバック情報は、製品の種類、名称、特徴、ブランド、価格、在庫量、販促情報、メーカー、製品展示写真又はビデオ、製品のホームページのリンクのうちの１つ以上を備える。前記フィードバック情報は、製品の種類、名称、特徴、ブランド、価格、在庫量、販促情報、メーカー、製品展示写真又はビデオ、製品のホームページのリンクのうちの１つ以上を備えていてよいし、製品と関連の他の情報、例えば製品品質データ情報などを含んでもよい。
【００５９】
もう一方、図１と図２に示した実例中の関連術語の解釈を使って、本発明の提供する方法について説明する。図３〜図４を参照する。
【００６０】
まず図３を参照する。図３は本発明の一つの好ましい実施例によるネットワーク・トランザクションにおける情報処理方法のフローチャートである。好ましくは、当該方法は図１又は図２に示したシステム１００の構造によって行い、つまり、当該ネットワーク・トランザクションプラットフォームに用いる情報処理方法の中で、前記ネットワーク・トランザクションプラットフォームにユーザーの個人空間が設置され、製品情報データベースを有し、当該方法は、
前記個人消費空間で前記登録情報を公開する情報公開ステップＳ３０１と、
前記個人空間からから前記登録情報を取出す取出しステップＳ３０２と、
取り出した登録情報について分類、統計又は分析処理を行って、それから分類、統計又は分析をした後の関連情報をサービス端に送信する分類、統計及び分析ステップＳ３０３を含む。
【００６１】
前記ステップの中の具体的な情報公開、取出し及び分類、統計及び分析の具体特徴は図１と図２の中の対応するモジュールの具体説明を参考にできるため、再度の説明は省略する。
【００６２】
図４を参照する。図４は本発明のもう一つの好ましい実施例によるネットワーク・トランザクションにおける情報処理方法のフォローチャートである。その中、図３に示した方法の中のフローチャートと同じステップは再度の説明を省略する。図４に示すように、図４は好ましい実施例に以下のステップを含む。
【００６３】
ユーザーが前記個人消費空間にログインするのに用いるログインデータを受信して検証する登録ステップＳ４０１と、当該ステップはステップＳ３０１の前に実行してよい。
【００６４】
前記分類、統計又は分析後の関連情報に対して対応する処理を実行する情報処理ステップＳ４０２を含む。前記ステップＳ４０２はステップＳ３０３の後に実行することがわかる。前記情報処理ステップＳ４０２は以下の三つの情況を分けて実行することが好ましい。つまり前記対応する処理はステップＳ４０２１、ステップＳ４０２２、ステップＳ４０２３に分けてよい。
【００６５】
ステップＳ４０２１：製品需要リストを生成し、サービス端による製品生産をガイドする。
【００６６】
ステップＳ４０２２：ソーシャルグループ又は個人消費グループにグループ購入情報を提供する。
【００６７】
ステップＳ４０２３：製品の関連情報によって特定商業グループを形成し、ソーシャルグループ又は個人消費グループに商業グループ情報を提供する。
【００６８】
更に好ましくは、前記情報分析方法は前記個人消費空間の中の登録情報に対して編集処理を実行する情報編集ステップを含む。
【００６９】
更にまた好ましくは、前記分析方法はまた製品情報データベースにおける前記登録情報との整合度が予め定められた閾値に達する製品情報を前記個人消費空間へフィードバックするフィードバックステップを含む。
【００７０】
前記情報編集ステップとフィードバックステップは前記他のズテップの前又は後に実現してよいし、リアルタイムに実現してよい。従ってその実行順序は実際需要によって多種の選択ができ、図を簡単化するため、図４に示されていない。
【００７１】
前記情報分析方法の中の各ステップは具体実行ステップの実現方法と前記情報分析システムの中の対応モジュールの実現方法とは同じなので、再度の説明を省略する。
【００７２】
図５は本発明の一つの好ましい実施例によるネットワーク・トランザクションにおける情報分析システムの中の情報処理モジュールが具体登録情報の処理を実現する実施例を示す図である。図５に示すように、情報処理モジュール５０１の中に分類器５０２、比較器５０３と統計処理モジュール５０４を含む。前記分類器５０２ユーザーは分類、統計及び分析モジュール１０５の中から獲得した分類統計情報を二次分類し、前記分類はサービス端１０６の類型に基づいて確定されるのである。例えば、サービス端１０６はアディダスブランドの供給者とナイキブランドの供給者（例として挙げるだけ、他のブランドの供給者でもよい）を含める。前記情報処理モジュール５０１はサービス提供者類型によって受け取った分類統計情報を、例えば商品分離リスト、ブランド分類リストなどを二次分類し、サービス端１０６の商品サプライヤーと一対一対応の商品リスト情報を作成する。比較器５０３は商品の価格、類型など情報を比較するのに用いる。統計処理モジュールは分類器と比較器による処理後の結果を受け取り、かなり完備した細分化の商品リスト情報を作成し、前記商品リスト情報をサービス端１０６の各級サービス提供者と対応的に実現し、その他、対応した商品情報を例えば商品需要数量情報などを各級商品サプライヤーに送信する送信モジュール５０５を備える。
【００７３】
その他、統計処理モジュール５０４は統計計算機能を持ち、複数の個人消費空間からユーザーの登録情報を受け取ることによって、複数のユーザーの需要に対して対比統計計算を行うことができる。図４に示すように、情報処理モジュール５０１（図４の中の情報処理モジュール１０８と同一のモジュールである）は個人消費空間１０１中の取出しモジュール１０４と直接接続し、例えば、前記取出しモジュール１０４から１００００個ユーザーの登録情報を受け取り、前記ユーザーの登録情報に対して統計計算を行い、アディダスブランドを購買しようとするユーザーが２０００人いて、その後、更に進んだ分析を行うことができる。例えば、アディダス冬用オーバーコートが要るのは５００人、夏用Ｔシャツが要るのは５００人、夏のパンツが要るのは５００人の情報を獲得する。その後、前記サービス端１００は前記情報類型と内容によって冬のオーバーコート５００、夏のＴシャツ５００と夏のパンツ５００の情報をアディダスサービス提供者に送信し、従って前記サービス提供者は近い内のユーザー需要に対して直観的な認識を持つことができる。それは自分の商品の生産類型と生産量に対して予想的な判断ができ、資源の浪費をもたらすことがなく、生産の目標性が更に明確される。
【００７４】
勿論、前記分類、統計及び分析モジュール１０５も分類統計機能を持ち、それがサービス端１０６に送信した情報が明確になる時、前記サービス端１０６の中の情報処理モジュール５０１はただ簡単な分析処理が必要である。例えば報表を生成するなどである。つまりサービス端１０６がユーザーの需要に対する直観的な認識と予想の判断が実現できる。
【００７５】
同時に、図４に示すように、情報保存モジュールが同じように前記情報処理モジュール５０１（図４の中で情報処理モジュール１０８と同一のモジュールである）と接続するため、前記情報処理モジュール５０１は情報保存モジュールの中から歴史登録情報又は既に購入した商品の属性情報を獲得できる。例えば、商品価格、購買の商品数量など情報。前記情報処理モジュール５０１の中の統計処理モジュール５０４は時間段又は歴史登録情報及び前記他の情報によって、例えば商品属性情報が異なる標準、例えば年月などによって、情報保存モジュール中の関連情報を取り出して分類、統計又は分析を行うことができる。異なる角度から関連商品の需要情報を把握して、分類、統計又は分析リストを生成し、サービス端１０６に送信する。サービス端１０６は受け取った分類、統計又は分析リスト情報によって、後続の対応する処理を執行し、例えば関連商品数量、類型など情報を異なる商品サービス提供者に送信する。
【００７６】
もっとよく本発明を理解するため、次は本発明が保護を請求するネットワーク・トランザクションにおける情報分析システムと方法の実例を挙げる。もっと良く本発明の請求保護の技術的な解決手法と本発明の主旨を理解することを目指す。具体的に次の通りである。
【００７７】
まず、ユーザーが個人消費空間を利用してネットワーク・トランザクションを実現する全体のプロセスから本発明を説明する。
【００７８】
ユーザーはネットワーク・トランザクションプラットフォームで個人消費空間を設けて、その具体的な実現形式は、個人店（ＭＹ  ＳＴＯＲＥ）を創立することである。個人店の中で商品登録構造があって、選択できるのは、本実施例の中で、当該商品登録構造はページ内の一つ又は複数の商品棚として設置し、前記商品棚はユーザーが登録情報を公開するキャリヤーとなり、プロセッサが登録情報を取り出すキャリヤーでもある。前記商品棚は固定商品棚又はカスタマイズ商品棚である。典型的に、前記商品棚の中で一つ又は複数のユーザーがカスタマイズした買物ラベルが載せてあり、当該商品棚に示したのは、前記買物ラベルにより検索して得た商品の単品陳列などである。それから、ユーザーが商品を登録する過程で、登録確認を完了した後、登録情報と関連する単品を私の商品棚に置く。登録方法は通常以下の二種類ある。
【００７９】
検索による登録：サーチの結果に従って登録し、セット登録を実現できる。
【００８０】
直接的な登録：登録対象のホームページで一対一の登録が実現できる。
【００８１】
もちろん、他の登録方式を採ることもできる。ユーザー自身資源の違いによって、多種の登録方式の選択又は組合せができる。
【００８２】
登録対象は通常、小売店、カテゴリ、ブランド、単品を含む。もちろん、他の登録対象を設定してもよい。例えばアクティビティと価格範囲など。
【００８３】
ユーザー自身にとって、登録した商品の供給は主に自分で登録した小売店、私の小売店（ＭＹ  ＳＴＯＲＥ）と自分の友人、家族と興味のある範囲にいる友人などからである。
【００８４】
全体の登録プロセスは通常以下の５つの部分を含む。
１．小売店への登録
前記ネットワーク・トランザクションシステムはまずユーザーがいる都市によって、ｍｙｓｔｏｒｅに繋がる小売店リストをディフォルト表示し、ユーザーに登録を提供する。
２．（カテゴリ＋ブランド）への登録
独立した或いは関連した登録ができる。
Ａ．ブランドを登録した後、ついでにこのブランドの若干カテゴリを登録するように促す。
Ｂ．カテゴリを登録した後、ついでにこの類別の若干ブランドを登録するように促す。
３．アイテムへの登録
商品はシステムが提供したフィルターを通して、小売店、ｍｙｓｔｏｒｅと友達が推薦するカタログから、自分が注目する又は興味のある又は買うつもりのアイテムリストを選び出して、単独のアイテム又はセットの商品の登録が行われる。
推薦カタログは以下の説明がある。
Ａ．推薦カタログは、
推薦カタログ＝小売店推薦＋私の小売店（ＭＹＳＴＯＲＥ）推薦カタログ＋友達推薦カタログ
Ｂ．推薦カタログの生成
１）．ユーザーに登録されたすべての小売店はユーザーが登録したカテゴリ、ブランド、単品によって推薦カタログを生成する。
２）．私の小売店はユーザーが登録したカテゴリ、ブランド、単品によって推薦カタログを生成する。人気商品（Ｈｏｔ）、ホット評価、ホット推薦の商品を主とする。
３）．ユーザーの友達が何時でも何処でも進んで推薦してくれたカタログ。
前記フィルターに関して、その複合条件は主に、小売店又は友達、ブランド、価格範囲、アクティビティなどを含む。
４．商品棚への登録
システムが提供したフィルターを通して、ユーザーが登録しようとする単品リストを選び出して、単独又はセット登録を行う。すべての又は毎セット登録の商品は指定商品棚に配置して、自分の個性化小売店を作成する。
５．商品棚の運行：商品棚は価格比較器であり、商品に対する評価センターでもある。商品棚はユーザーの買い物情報センターであり、私の小売店はユーザーの登録した商品を毎日リアルタイムに自分の商品棚に公開し、その後、ユーザーがこれら商品の市場動向と価格変化を注目でき、株式取引所の表示板のように、自分の登録した商品についてのそれぞれの小売店にある価格情報、評価情報をリアルタイムに収集し表示する。同時に商品棚はユーザーの願望センターであり、将来の需要センターであり、ユーザーの歴史取引情報などが保存してあるユーザーの歴史買い物館でもある。
【００８５】
次は、図６−７を参照してネットワーク・トランザクションにおける情報分析システムと方法の実例を説明する。
【００８６】
ユーザーがまずネットワーク・インタフェースを通して私の店（ＭＹ  ＳＴＯＲＥ）のホームページをアクセスし、図６に示すように、システムはユーザーに新しいユーザーかどうかを尋ね、新しいユーザーの場合は登録を行った後、初めて私の店（ＭＹ  ＳＴＯＲＥ）にログインできる。私の店にログインした後、見られるインタフェースが図６に示す通りである。図６の中に、「公開」ボタンがあり、ユーザーがこのボタンを押して、「登録」情報の公開が実現できる。その他、私のソーシャルマップ（図に示した人数は４０人である）を有し、その中は中小学校同級生、大学同級生、同僚、親戚と一般友人及びあなたと知り合いたい人と知り合う可能な人を含む。好ましくは、私のソーシャルマップは他のモジュールを含み、例えば私の友人、私の交友グループなどを示す。しかし、本発明に記載の情報分析システムの中のサービス端内の情報処理モジュールは前記ソーシャルマップ中のユーザーにグループ購入などの実用情報を提供できる。前記情報分析システムはバックグランドで実現するので、図の中に示していない。
【００８７】
図７に交友グループを含む実例を示した。図７に示すように、ユーザーの交友グループに対して選択でき、図の中にグループＬＶＭ、グループ１と天地新光（ＰｌａｃｅＳｈｉｎｋｏｎｇ：ショッピングモールの名前）を含む。グループＬＶＭはＬＶＭブランドに興味のある友人、同級生、友達などを表す。グループ１の中で、ユーザーがカスタマイズでき、例えばチームの友達など。尚、天地新光はサービス提供者又は商業情報を表し、つまり商品サプライヤーに対して選択する。ユーザーの交友グループの類型、数量は多種の選択と設定を行えることが明らかである。そして推薦機能も示されていて、つまり自分の興味ある商品の関連情報を友達又は交友グループに推薦できる。本発明に記載の情報分析システムの中のサービス端内に情報処理モジュールを設定でき、同じ原理を採用して、前記ソーシャルマップ中のユーザーにグループ購入などの実用情報を提供できる。前記情報分析システムはバックグランドで実現するので、図の中に示していない。
【００８８】
図６と図７はユーザーがネットワーク・トランザクションプラットフォームにおける全体の取引過程を示した。本発明に記載の情報分析システムと方法が全体ネットワーク・トランザクションに対する貢献と役割を理解するよう役立つ旨である、つまりもっとよく本発明の全体技術方案を理解するためである。
【００８９】
分類、統計と需要分析に対して通常は通常規定の方法を採用する。例えばプロジェクトとソフト需要分析などはモデリング、データ関連性分析など方法を採用し、そのため、統計分析モジュールと情報処理モジュールが実行した対応する処理に対して、実施例は以下の如く述べる。
【００９０】
ユーザーＡがＡＤＩＤＡＳブランドのサッカーシューズ２足を注文すると、我々が当該ユーザーがＡＤＩＤＡＳの運動シリーズ靴類に対して興味があると認識する。ユーザーＡが再びサッカーシューズを買う願望を提出する時、本発明の前記分類、統計及び分析モジュールは当該ブランドのサッカーシューズ需要情報をＡＤＩＤＡＳの供給者に送信し、ＡＤＩＤＡＳブランドの同じ様式のサッカーシューズに興味があるユーザー数量がある数値に達する時、例えば１００００足になる時、本発明に記載の情報処理モジュールは靴のサイズなど情報の統計に対して、例えばこの１００００足の中で３８−４７はそれぞれ１０００足あり、情報処理モジュールが前記情報をサービス端に送信して、つまりＡＤＩＤＡＳブランド供給者に送信する。当該供給者がこのデータを受け取った時、１年後（サッカーシューズの使用周期が１年とする）の当該様式のＡＤＩＤＡＳサッカーシューズの生産計画を指定できる。つまり３８−４７サイズのサッカーシューズはそれぞれ１０００足生産する。このように、資源の浪費が避けられ、もっとよく製品の供給需要のバランスを取ることができる。
【００９１】
勿論、以上はただ一つの実例であり、実際の情報分析過程で、ユーザーの需要情報に対して多種の分析を行い、もっと価値のある情報をサービス端に提供し、もっとよくサービス端メーカーなどの製品生産を指導できるようになる。
【００９２】
ここで説明したいのは、もっと多くの実施例の中で、ユーザーが公開した登録情報及び登録情報によって獲得した商品のリスト情報を展示し管理するように、他の類型のページ機能モジュールが設計できる。本実施例に示した商品棚に限らない。
【００９３】
例示と実施例及びその利点を詳しく説明したが、本発明の精神と添付された権利請求に限定された保護範囲を逸脱しない情況の下で、これらの実施例に対して各種の変化、入れ替えと修正をすることができることが理解されるべきである。他の例に対して、本分野の普通の技術者が本発明の保護範囲を保証する同時に、プロセスステップの順序が変化できることが理解されやすいはずである。
【００９４】
本発明が提供するネットワーク・トランザクションにおける情報分析方法はプログラマブルロジックデバイスを使って実現できるし、コンピュータプログラムソフトに実施できる。例えば、本発明による実施例はコンピュータプログラム製品にすることができる。当該プログラム製品を運行してコンピュータに対して示した方法を実行させる。前記コンピュータプログラム製品はコンピュータ可読記憶媒体を含む。当該媒体にコンピュータプログラムロジック又はコード部分を含み、上記方法の各ステップを実現するのに用いられる。前記コンピュータ可読性記憶媒体はコンピュータに搭載される内蔵媒体にすることができるし、又はコンピュータ主体から解体できるリムーバブルメディア（例えばホットプラグ技術記憶装置）にすることもできる。前記内蔵媒体は再書込み可能の不揮発性記憶装置を含むが、それとは限らない。例えばＲＡＭ、ＲＯＭ、フラッシュメモリとハードディスク。前記リムーバブルメディアは、光学記憶媒体（例えばＣＤ−ＲＯＭとＤＶＤ）、光磁気記憶媒体（例えばＭＯ）、磁気記憶媒体（例えばテープ又はポータブルハードディスク）、内蔵で再書込み可能の不揮発性記憶装置の媒体（例えばメモリーカード）と内蔵ＲＯＭの媒体（例えばＲＯＭ箱）を含むが、それとは限らない。
【００９５】
本分野の技術者は理解すべきのは、如何なる適切なプログラミング装置を持つコンピュータシステムはすべてプログラム製品に含まれた本発明の方法の諸ステップを実行することができる。本願書に記載した多くの具体的な実施方法はすべてソフトウェアに重点を置いたが、ファームウエアとハードウエアとして本発明の提供する方法を実現する代わりの実施例が同様に本発明の請求保護範囲内に含まれている。
【００９６】
本分野の技術者にとって、本発明は以上の手本に示す実施例の細部に限らないことが明らかである。その上に本発明の精神又は基本特徴と乖離しない情況の下で、他の具体的な形式で本発明を実現することができる。そのため、どの点から見るにしても、すべて実施例を例示的なもので、制限的なものではないと見なすべきである。本発明の範囲は請求項に限定され、上述の説明に限定されない。そのため、それは請求項に入る同等要件の意味と範囲内のすべての変化を本発明内に包括させることを目指している。請求項中の如何なる図印を制限に関わる請求項だと見なしてはならない。その外に、「含む（備える）」という言葉は他の部品、ユニット又はステップを排除しなく、単数は複数を排除しないものとする。システム請求項の中に述べる複数の部品、ユニット又は装置も１つの部品、ユニット又は装置によって、ソフトウェア又はハードウエアを通じて実現することができる。
【００９７】
以上掲示されたのはただ本発明のより良い実施例だけで、もちろんこれによって、本発明の請求範囲を制限することはできなく、そのため、本発明の請求項権利によって行った同等変化は、依然として本発明に包括された範囲に属する。
【図１】
2015525923.tif 000003
【図２】
2015525923.tif 000004
【図３】
2015525923.tif 000005
【図４】
2015525923.tif 000006
【図５】
2015525923.tif 000007
【図６】
2015525923.tif 000008
【図７】
2015525923.tif 000009
【国際調査報告】
2015525923.tif 000010
2015525923.tif 000011
2015525923.tif 000012
2015525923.tif 000013